(57)【要約】      （修正有）【課題】施工性に優れた手摺笠木や照明ユニットを提供する。【解決手段】下方に開放する切欠部を長手通しに備えた笠木材２と、前記切欠部内に固定される照明ユニット３とを有し、前記照明ユニット３により、光源ユニット４と給電用ケーブル５を幅方向に配置、保持して手摺笠木を構成する。また、笠木材２に固定して照明を形成する照明ユニットであって、プリント基板に所定ピッチで発光素子を実装して形成される光源ユニット４と、前記プリント基板に電気的に接続される給電用ケーブル５と、前記笠木材２に固定されるケース７とを有し、前記ケース７により、内部の幅方向に光源ユニット４と給電用ケーブル５を配置、保持して照明ユニット３を構成する。【選択図】図１
2015227542.tif 000002
【特許請求の範囲】
【請求項１】
下方に開放する切欠部を長手通しに備えた笠木材と、
前記切欠部内に固定される照明ユニットとを有し、
前記照明ユニットは、光源ユニットと給電用ケーブルを幅方向に配置、保持する手摺笠木。
【請求項２】
前記照明ユニットは、下方に開放する断面略コ字状の係合壁を備えて切欠部内に係合し、内部に光源ユニットと給電用ケーブルを保持して切欠部内に固定されるケースを有する請求項１記載の手摺笠木。
【請求項３】
前記光源ユニットは、所定ピッチで配置される点光源を有し、
前記ケースには、係合壁の一側壁下端縁から開放幅を狭める方向に延設されて給電用ケーブルを支持するケーブル支持片が形成されるとともに、該ケーブル支持片の先端部に形成された係止部を弾発係止させて光拡散板が保持される請求項２記載の手摺笠木。
【請求項４】
前記笠木材が金属材料により形成される請求項１ないし３のいずれかに記載の手摺笠木。
【請求項５】
笠木材に固定して照明を形成する照明ユニットであって、
プリント基板に所定ピッチで発光素子を実装して形成される光源ユニットと、
前記プリント基板に電気的に接続される給電用ケーブルと、
前記笠木材に固定されるケースとを有し、
前記ケースは、内部の幅方向に光源ユニットと給電用ケーブルを配置、保持する照明ユニット。
【発明の詳細な説明】
【技術分野】
【０００１】
本発明は手摺笠木、および照明ユニットに関するものである。
【背景技術】
【０００２】
照明を備えた手摺笠木としては、従来、特許文献１に記載されたものが知られている。この従来例において、手すり本体（笠木材）は凹溝を有する筒状に形成されたステンレス製押出管からなる。上記凹溝内には、光源となるＬＥＤをハンダ付けしたテープ状基板が照明固定台を介して開放端寄りの位置に取り付けられ、これらＬＥＤやテープ状基板、照明固定台は凹溝を塞ぐように手すり本体に取り付けられる照明カバーにより覆われる。上記照明固定台は凹溝の底壁に向かって開放するコ字状断面をなし、ＬＥＤとテープ状基板は、柔軟性樹脂により全体として断面矩形状をなすようにコーティングされる。
【０００３】
また、上記テープ状基板は手すり本体の長手方向に間隔を隔てて複数配置されており、照明用固定台や柔軟性樹脂が凹溝と近似する幅寸法に形成されるために、ＬＥＤに給電するには、例えば、給電用ケーブルを照明固定台内部の空隙を利用して手すり本体の長手方向に沿って敷設しておき、この給電用ケーブルを介して各テープ状基板を商用電源等と電気的に接続させるのが適当であるものと考えられる。
【先行技術文献】
【特許文献】
【０００４】
【特許文献１】登録実用新案第３１６７０７７号公報
【発明の開示】
【発明が解決しようとする課題】
【０００５】
しかしながら、上述した従来例は施工性が悪いという欠点がある。
【０００６】
すなわち、給電用ケーブルは、施工現場の状況に応じた高い融通性を確保するために、現場合わせで、手すり本体への光源の組み付け状況を確認し、これを考慮しながら後付けすることが望ましいが、従来例のような構造であるとこのような施工が困難になる。
【０００７】
本発明は以上の欠点を解消すべくなされたものであって、施工性に優れた手摺笠木の提供を目的とする。また、本発明の他の目的は、施工性に優れた照明ユニットの提供にある。
【課題を解決するための手段】
【０００８】
本発明によれば、上記目的は、
下方に開放する切欠部１を長手通しに備えた笠木材２と、
前記切欠部１内に固定される照明ユニット３とを有し、
前記照明ユニット３は、光源ユニット４と給電用ケーブル５を幅方向に配置、保持する手摺笠木を提供することにより達成される。
【０００９】
本発明によれば、手摺笠木は、光源や給電用の配線などの照明構成部品を一まとまりにユニット化した照明ユニット３を有し、この照明ユニット３を笠木材２の下方に開放する切欠部１内に固定して形成される。照明のユニット化により多数の照明構成部品を笠木材２に順次個々に組み込むような面倒を省くことが可能になり、笠木材２への現場での照明の組み付けや、照明の交換作業が極めて簡単になる。また、照明ユニット３が笠木材２の下方に開放する切欠部１内に配置されることで、その照明光によって暗所においても歩行者にあまり眩しく感じさせることなく手摺笠木の位置を知らせることができ、さらに、手摺笠木を支えとして歩行する歩行者の足下を照らして安全な歩行を可能にする。
【００１０】
また、上記照明ユニット３は、光源周りの部品をユニット化した光源ユニット４を有しており、これにより光源周りの多数の部品を順次個々に組み付けて照明ユニット３を組み立てるような面倒な作業を省くことができ、光源周りの交換作業も簡易にできる。以上の光源ユニット４は、照明ユニット３において給電用ケーブル５と幅方向に配置、保持されており、このため、笠木材２の下方に開放する切欠部１内に給電用ケーブル５を後付けで組み付ける際に光源ユニット４があまり邪魔になることはない。
【００１１】
したがって本発明によれば、施工現場において笠木材２の設置状況を確認した上で、光源ユニット４、給電用ケーブル５を順次事後的に笠木材２に組み付けることができるために、施工現場の状況に合わせた融通性の高い施工をすることができる。特に照明ユニット３は切欠部１内の限られたスペースに配置されるために、このような融通性の高い施工ができることにより、例えば、施工が進んだ段階で給電ケーブルの長さ不足が判明したために手摺笠木を分解して施工をやり直さなければならなくなるといった問題を回避できる以外に、その長さが長すぎることで限られた配線スペースに収まらなくなるといったことをも防止することができる。
【００１２】
また、以上のように光源ユニット４と給電用ケーブル５を幅方向に配置すると、これらを上下方向に配置する従来例に比べ、光源ユニット４を切欠部１内のより深い位置に配置することができるために、設置状態における光源ユニット４へのいたずらや、階段を上る途上で上層階側を見上げたときなどに眩しく感じることなどを抑制できる。さらに、このような配置によれば、光源を手摺笠木の幅方向に偏倚する位置に取り付けることも簡単であり、このような光源の配置を利用すれば、照明範囲を効率的に絞り込むなどすることも容易になる。
【００１３】
上記照明ユニット３は、光源ユニット４や給電用ケーブル５を内部に保持するケース７を備えて構成すれば、このケース７を光源ユニット４等の組み付け前に笠木材２の切欠部１内に組み付けることにより、光源ユニット４等の切欠部１内への組み付け作業をより簡単にすることが可能になる。この場合ケース７は、切欠部１と同様に下方に開放する断面略コ字状に外壁を形成すれば、光源ユニット４等の後付けに際して問題になることはない。また、この外壁を切欠部１内に係合するサイズにしておけば、切欠部１の内壁との間に指を挟むおそれのあるような隙間が発生してしまうのを簡単に防止できる。
【００１４】
上記ケース７による光源ユニット４や給電用ケーブル５の保持は、例えば、これらをケース７内壁に接着してすることも可能であるが、例えば支持片や挟持片、あるいは係止片をケース７内に形成して支持、挟持、あるいは係止させれば、光源ユニット４等の後付け作業が簡単になる。
【００１５】
上述した光源ユニット４は、蛍光管やＬＥＤなど適宜の光源を用いて構成することができ、例えば、ＬＥＤ等の発光素子を用いたときには、蛍光管よりも小型化が容易な上に、消費電力を抑えたり、寿命を長くしたりすることも難しくない。しかしながらＬＥＤ等のような点光源８を用いてしまうと、手摺笠木の設置床面が鏡面仕上げのときには粒状の映り込みが生じてしまい、見栄えが悪く感じるおそれもあるが、この問題は光拡散板１１を点光源８の下方で照明ユニット３に後付けにより組み付ければ解消できる。
【００１６】
また、上述のように光拡散板１１を後付けする場合において、光拡散板１１を弾発係止により保持するための係止部１０をケース７に設けておけば、接着剤で後付けしたときのような、接着剤が接着部位からはみ出すことなどによる光量低下のおそれ等を回避することができる。
【００１７】
以上の手摺笠木は、  
笠木材２に固定して照明を形成する照明ユニット３であって、
プリント基板１２に所定ピッチで発光素子１３を実装して形成される光源ユニット４と、
前記プリント基板１２に電気的に接続される給電用ケーブル５と、
前記笠木材２に固定されるケース７とを有し、
前記ケース７は、内部の幅方向に光源ユニット４と給電用ケーブル５を配置、保持する照明ユニット３を用いて形成することができる。
【発明の効果】
【００１８】
以上の説明から明らかなように、本発明によれば、施工性に優れた手摺笠木や照明ユニットを提供することができるために、手摺の設置工事をより簡単にすることができる。
【図面の簡単な説明】
【００１９】
【図１】本発明に係る手摺笠木の要部分解斜視図である。
【図２】手摺笠木の設置構造を示す要部縦断面図である。
【図３】手摺笠木の内部構造を示す要部縦断面図で、（ａ）は第１の実施の形態を示す図、（ｂ）はその変形例を示す図である。
【図４】他の変形例を示す図で、（ａ）は第２の変形例を示す図、（ｂ）は第３の変形例を示す図である。
【図５】手摺笠木の内部構造を示す要部縦断面図で、（ａ）は第２の実施の形態を示す図、（ｂ）はその変形例を示す図である。
【発明を実施するための形態】
【００２０】
図１に本発明に係る手摺笠木Ａを用いた手摺Ｂを示す。この実施の形態において、手摺Ｂは、手摺笠木Ａに所定ピッチで取り付けられるブラケット２１を有し、該ブラケット２１を介して図２に示すように屋外の階段等の壁面２２に固定される。
【００２１】
このブラケット２１は、手摺笠木Ａとの相対位置に応じて取り付け角度を調整可能な角度調整部２３を備え、ステンレス等の適宜の金属により形成される。具体的には、上記壁面２２に一端部が固定されて水平姿勢をとる水平軸部２４と、この水平軸部２４に一端部が連結されて他端部により手摺笠木Ａを支持する支持軸部２５とを有して構成される。上記水平軸部２４はパイプ近似の中空の部材であり、壁面２２への固定端には化粧板２４ａがフランジ状に取り付けられ、自由端には支持軸部２５との連結部２４ｂが形成される。この水平軸部２４は、図２に示すように、壁面２２への固定に用いられるアンカーボルト２６を中空の内部に収容する。
【００２２】
また、上記連結部２４ｂは、長手方向に対する直交方向に支持軸部２５の外径と同程度のサイズで穿孔される図示省略の貫通孔と、この貫通孔内に回転操作により進退するイモネジ２７からなり、貫通孔内に挿入された支持軸部２５をイモネジ２７により貫通孔の内壁に押し付けることで支持軸部２５と連結される。以上の水平軸部２４は、貫通孔がほぼ鉛直方向を向く姿勢にして壁面２２に固定されるが、必要に応じて現場合わせで貫通孔の向きを調整して固定することも可能である。
【００２３】
一方、上記支持軸部２５は、杆状に形成され、水平軸部２４との連結端とは反対となる先端部には、水平軸部２４の長手方向とほぼ同一軸線周りに揺動可能な首振り部２５ａが形成される。この首振り部２５ａは、図２に示すように、本体部２５ｂとネジ２９により連結され、このネジ２９周りに揺動可能にされるとともに、ネジ２９を締め付けることにより所定の首振り角度を保持することができる。以上の首振り部２５ａの先端には、支持軸部２５の長手方向と直交する方向に長尺の板状に形成されて笠木材２にネジ止めされる取り付け片３０が固定される。
【００２４】
したがって手摺笠木Ａの設置予定位置に合わせて壁面２２に所定ピッチでアンカーボルト２６により水平軸部２４を壁固定した後、この水平軸部２４に支持軸部２５を取り付け、次いで、首振り部２５ａのネジ２９を緩めた状態で図２に示すように手摺笠木Ａに取り付け片３０をネジ３１で取り付けると、角度調整部２３として機能する首振り部２５ａが揺動してブラケット２１、２１、・・間の微小な位置ずれを吸収し、全てのブラケット２１を手摺笠木Ａにしっかりと連結することができる。この後、首振り部２５ａのネジ２９を締め付ければ首振り部２５ａの揺動は禁止され、これにより手摺笠木Ａは、全てのブラケット２１、２１、・・を介して壁面２２にしっかりと支持される。
【００２５】
なお、図２等において３２は、金属により形成され、手摺笠木Ａの後述する凹溝（切欠部１）内に挿入されて取り付け片３０と手摺笠木Ａとの間に介装される連結補助材である。この連結補助材３２は、後述する給電用ケーブル５を敷設可能なケーブル収容部３２ａを長手通しに備えたもので、この実施の形態においてはコ字断面形状に形成される。また、３３は連結補助材３２を手摺笠木Ａに固定する固定用ネジである。
【００２６】
なお、一時的にアンカーボルト２６を緩めるなどして水平軸部２４を回転できるようにすれば、水平軸部２４と支持軸部２５との連結部２４ｂも角度調整部２３として機能させることが可能であり、これによってブラケット２１、２１、・・間のより大きな位置ずれも吸収することが可能である。
【００２７】
一方、上記手摺笠木Ａは、笠木材２に照明ユニット３を固定して形成され、該照明ユニット３により上述した階段の踏面と、ブラケット２１が固定される壁面２２の双方を照明する。上述のように手摺笠木Ａにはブラケット２１が所定ピッチで連結されるために、照明ユニット３は、笠木材２のほぼ全長に渡ってブラケット２１との連結位置を避けた各ブラケット２１、２１間に配置される。
【００２８】
上記笠木材２は、ステンレス等の適宜の金属の板材を折り曲げ加工してほぼ筒状に形成されるもので、この実施の形態においては、ベランダに設置されるガラスのトップレールが流用される。この笠木材２は、下面側の凹溝１の形成領域を除いて断面が円形状をなす。また、折り曲げ加工により製作されるために、凹溝１の底壁２ａの幅方向における中央部が材料板材の辺縁同士の継ぎ目となっている。
【００２９】
上記照明ユニット３は、図３（ａ）に示すように、ケース７内に光源ユニット４と給電用ケーブル５を保持して形成される。上記ケース７は、合成樹脂材等の切断加工があまり難しくなく、適宜の弾性も備えた材料により形成される。このケース７は、断面コ字状の係合壁６を備え、この係合壁６の外面を上述した凹溝１の内壁に係合させて笠木材２に固定される。笠木材２への固定に際しては、長手方向両端部において係合壁６の天井部が凹溝１の底壁２ａにネジ３４で止着されるとともに、長手方向中間部においては係合壁６と凹溝１の間に図示省略の接着剤で充填される。なお、上述のように笠木材２の継ぎ目があるために、ケース７のネジ止めは幅方向中央部ではなく、一側方に偏倚した位置にされる。
【００３０】
また、上記ケース７は、幅方向に併設される光源保持部３５とケーブル保持部３６を備える。上記光源保持部３５は、係合壁６内部の壁面２２側に配置されるもので、天井部６ａの幅方向中央部から垂下する挟持片３７と係合壁６の壁面２２側の側壁６ｂとにより光源ユニット４を挟持する。挟持片３７の先端と上記壁面２２側の側壁６ｂにおける同じ高さ位置には、接触圧を高めるための突条３８が形成される。
【００３１】
一方、ケーブル保持部３６は、係合壁６内部の階段側に配置されるもので、係合壁６の階段側の側壁６ｃの下端縁から内方に向かって傾斜状に延設されるケーブル支持片９により給電用ケーブル５を支承する。このケーブル支持片９は先端がケース７の幅方向中央部に至る程度の長さに形成され、また、その先端には、折り返し片３９が挟持片３７との間に給電用ケーブル５を通過可能な間隔を隔てる程度の高さで立設される。
【００３２】
上記光源ユニット４は、所定ピッチでＬＥＤ（点光源８、発光素子１３）を実装した短冊状のプリント基板１２を光透過性のある収容ケース４ａ内に収容して形成される。上記プリント基板１２はフレキシブル基板等の薄いものであり、その配線は、ＬＥＤ８（１３）を並列接続することにより、長手方向の適宜の位置で切断しても、その両端を上述の給電用ケーブル５に電気的に接続することにより、実装されたＬＥＤ８（１３）の全てに給電できるようにされる。また、上記ＬＥＤ８（１３）はいわゆる表面発光タイプのものであり、その配置ピッチは光量等を考慮して適宜決定される。
【００３３】
さらに、上記収容ケース４ａは、合成樹脂材により形成される。この収容ケース４ａは、内部にプリント基板１２を収容できる程度のサイズ、具体的にはプリント基板１２の幅方向に幅広の中空矩形断面形状に形成され、その肉厚が薄く形成されることにより、ニッパー等の適宜の工具を利用して切断しやすくされ、長さ調整しやすくされる。この収容ケース４ａの幅寸法は、上述したケース７における挟持片３７と係合壁６の壁面２２側の側壁６ｂとの間隔よりもやや大きい程度にされる。
【００３４】
一方、上記給電用ケーブル５は、笠木材２、すなわち手摺笠木Ａと同じ程度の長さに形成される。
【００３５】
以上の手摺笠木Ａは、施工現場においてブラケット２１、２１間の間隔に合わせてケース７やプリント基板１２、収容ケース４ａを切断し、また、給電用ケーブル５を笠木材２の全長よりやや長くなる程度に切断した上で、これらを笠木材２に順次組み付けて形成される。なお、手摺笠木Ａは、笠木材２に照明ユニット３を組み付けた後で上述したブラケット２１と連結されるが、この照明ユニット３の笠木材２への組み付けに先立ってブラケット２１が壁面２２に固定されることにより、ブラケット２１との連結位置を事前にある程度正確に確認することができる。また、この組み付けに先立ち、プリント基板１２の両端の配線には適宜の連絡ケーブル４０が電気的に接続される。
【００３６】
組み付けは、まず最初に、ブラケット２１、２１間に対応する位置範囲において、笠木材２の凹溝１内にケース７を挿入、固定し、次いで、光源ユニット４をケース７に装着する。光源ユニット４の幅寸法が挟持片３７と係合壁６の壁面２２側の側壁６ｂとの間隔よりもやや大きいために、これらの間への押し込み操作により挟持片３７がやや撓みながら光源ユニット４を挟持する。また、この押し込み操作の際には、上述した連絡ケーブル４０の姿勢を調整し、その自由端がケース７外、すなわち凹溝１の外側に垂れるようにしておく。
【００３７】
この後、連絡ケーブル４０の自由端を手摺笠木Ａの外側で給電用ケーブル５と電気的に接続する。この接続に際しては、給電用ケーブル５がケーブル保持部３６に保持されるときの予想位置に合わせて、その長手方向における接続位置を調整する。
【００３８】
給電用ケーブル５と連絡ケーブル４０の結線を終えたら、最後に、給電用ケーブル５を凹溝１内に挿入し、ケーブル支持片９上に載置した上で、その両端を笠木材２の両端などの適宜の箇所から笠木材２の外方に引き出しておく。以上のようにして笠木材２への照明ユニット３の組み付けが完了し、手摺笠木Ａが完成したら、ブラケット２１に組み付ける。このブラケット２１への組み付けの際には、給電用ケーブル５がケーブル収容部３２ａに収容されるように連結補助材３２が凹溝１内に取り付けられる。また、ブラケット２１への組み付けが完了したら、最後に、給電用ケーブル５の両端を適宜の穴を通して壁面２２の内側に引き出すなどし、電源制御部を介して商用電源やバッテリーに接続すれば、手摺Ｂが完成する。
【００３９】
照明ユニット３に給電すると、手摺笠木Ａ内部のやや壁面２２寄りの位置に配置されるＬＥＤ８（１３）からの照明光は、図３（ｂ）に二点鎖線で示すように、手摺笠木Ａ下方の壁面２２寄りの範囲を中心に照明し、これにより壁面２２の下部と、階段の踏面における手摺Ｂ寄りの範囲が夜間でも明るくなる。
【００４０】
また、上述した階段の踏面が鏡面仕上げされるこの実施の形態において、ＬＥＤ８（１３）の照明光が踏面に粒状に映り込むのを防止するために、手摺笠木Ａには光拡散板１１が装着される。光拡散板１１は、図３に示すように、この実施の形態においては帯状に形成され、その両側縁にはケース７に取り付けるための溝状の被係止部１１ａが形成される。この光拡散板１１は、例えば、光透過性のある合成樹脂材に光拡散剤を混入して成形することにより形成される。
【００４１】
一方、上述したケース７には、ケーブル支持片９の先端から光源ユニット４側に突出する係止部１０と、係合壁６の壁面２２側の側壁６ｂの下端縁から上記係止部１０に向かって突出する第２係止部４１とが形成されており、これら係止部１０および第２係止部４１に上述した被係止部１１ａに係止することで光拡散板１１がケース７に保持される。
【００４２】
光拡散板１１のケース７への装着は、最初に光拡散板１１を斜めにして第２係止部４１にのみ被係止部１１ａを係止しておいてから、係止部１０に向かって引き起すことによりなされる。光拡散板１１を引き起こすと、係止部１０が光拡散板１１の側縁に干渉し、これにより係止部１０はケーブル支持片９を撓ませながら光拡散板１１の側縁をかわすために、ここからさらに光拡散板１１を引き起こしてゆけば、係止部１０が被係止部１１ａに対峙した段階で被係止部１１ａに弾発係止する。
【００４３】
以上のように光拡散板１１を手摺笠木Ａに装着することにより、照明光は、図３（ａ）に示すように、光拡散板１１を装着しない場合に比べてより広い範囲を照明する。また、光源ユニット４はケース７の深い位置に保持されており、光拡散板１１との間にある程度の距離が確保されることから、光拡散板１１による光拡散機能が極めて良好に働く。さらに、光拡散板１１が階段側をやや向くように傾斜状に取り付けられることにより、踏面については照明範囲がよりさらに拡大する。
【００４４】
なお、以上においては光拡散板１１を用いる場合を示したが、図３（ｂ）に示すように光拡散板１１を用いなければ、光量の損失を押さえてより明るく照明することができる。
【００４５】
図４（ａ）に第２の変形例を示す。なお、この変形例および後述する他の実施の形態において上述した実施の形態と同一の要素は図中に同一の符号を付して説明を省略する。この変形例は、上述した壁面２２が柵などで構成され、壁面２２側を照射する照明光が下層階側に漏れてしまうおそれがある場合に応じたものである。
【００４６】
この変形例において、プリント基板１２は上述した収容ケース４ａの高さ寸法程度のより狭い幅寸法に形成され、光源ユニット４は、先の実施の形態から収容ケース４ａを９０度回転させたような姿勢でケース７内に保持される。また、プリント基板１２は、収容ケース４ａの上方に位置する内壁面２２に接着剤等で適宜固定される。
【００４７】
ケース７は先の実施の形態と共用のものであり、その係合壁６の壁面２２側の側壁６ｂには、上述した挟持片３７の突条３８と対峙する位置以外にも、収容ケース４ａの下端近傍に相対する位置に突条３８が形成される。以上のケース７による光源ユニット４の保持には、挟持片３７と壁面２２側の側壁６ｂとの間に適宜の詰め物４２をすることで挟持状態が確保される。
【００４８】
したがってこの変形例においては、ＬＥＤ８（１３）がより壁面２２寄りの位置に配置されるために、ケース７の係合壁６の壁面２２側の側壁６ｂや第２係止部４１により壁面２２側に拡散する光路が遮断され、踏面のみを中心として照明される。これにより上述のように下層階側に照明光が漏れるのが抑制され、下層階側から見上げたときに眩しく感じにくくなる。また、以上のように光源ユニット４を変更し、詰め物４２を追加することで照明範囲を変更する使い方ができるために、手摺笠木Ａの汎用性も向上する。
【００４９】
また、このように光源ユニット４の配置を変更した場合にも、図４（ｂ）に示すように光拡散板１１を装着すれば、照明光の踏面への映り込みを抑制したり、照明範囲をある程度広くすることが可能である。なお、以上のようにＬＥＤ８（１３）をより係合壁６の壁面２２側に近づけて配置する場合には、上述した実施の形態におけるＬＥＤ８（１３）を側面発光タイプのものにした上で、その姿勢を９０度回転させても足りる。また、詰め物４２を詰めるのに代えて、収容ケース４ａのみを適宜幅広に形成しても足りる。
【００５０】
図５（ａ）に本発明の第２の実施の形態を示す。この実施の形態において、ケース７は、係合壁６の壁面２２側の側壁６ｂが短くされるとともに、凹溝１への固定状態で上記壁面２２と凹溝１の内壁との間には隙間が形成される。また、反対側の側壁６ｃは内側に凸な弓状にされる。さらに、上述の折り返し片３９に代えて、係止部１０が、折り返し片３９よりも高さがやや低い程度で、ケーブル保持部３６側に凸な弓状に形成される。
【００５１】
また、光拡散板１１は、その一側面に装着状態において上記係止部１０に係合する凸部４３が形成されるとともに、反対側面にはある程度の広さを備えて係合壁６の内壁に密着可能な平面部４４が形成される。また、凸部４３の上方には、ケーブル支持片９上に載置された給電用ケーブル５が振動等によって不用意に光源ユニット４側にずれるのを防止するための押さえ壁４５が形成される。
【００５２】
さらに、光拡散板１１は、この実施の形態において、光拡散剤を混入する合成樹脂剤として乳白色のものが使用される。加えて、その壁面２２側の領域には、上述した第２係止部４１とほぼ同じ程度の範囲で壁面２２側に照射する照射光を遮る遮蔽部４６が形成される。この遮蔽部４６は、具体的には、光拡散板１１にアルミ箔等の反射材料を入れるスリットを形成して構成される。したがってこの実施の形態においては、組み立て作業性がより向上する。
【００５３】
また、以上の第２の実施の形態においては、上述した実施の形態のように光源ユニット４が幅広に形成され、ＬＥＤ８（１３）が笠木材２の幅方向やや中央寄りに配置される場合を示したが、上述した第２の変形例と同様に、図４（ｂ）に示すように光源ユニット４を幅狭し、また、ＬＥＤ８（１３）をより側縁寄りに配置することもできる。この変形例は、光源ユニット４以外について上述した第２の実施の形態と同じものを使用して手摺笠木Ａが構成される。
【００５４】
この変形例において、光源ユニット４は、係合壁６の壁面２２側の側壁６ｂを適宜撓ませることにより、該側壁６ｂと押さえ壁４５との間で挟持可能な幅、高さ寸法に形成される。また、光量の低下を抑制するために、光拡散板１１の母材には透明な合成樹脂材が使用される。したがってこの変形例においては、光源ユニット４を変更しても、上述のように詰め物４２を別途用いる必要がないために、汎用性がより向上する。言い換えれば、以上の第２の実施の形態や、その変形例によれば、ケース７の汎用性が極めて向上する。なお、光拡散板１１の上面には、押さえ壁４５との間で光源ユニット４の下端部に係合する係合凹部４７が形成されるために、光源ユニット４が係合壁６の壁面２２側の側壁６ｂに押されて倒れてしまうことはない。
【００５５】
なお、以上においては、ブラケット２１を利用して手摺笠木Ａを壁面２２に取り付ける場合を示したが、適宜の手摺支柱を用いて踏面に取り付けても足り、この場合には、給電用ケーブル５を手摺支柱を介して階段の下方のスペースなどに引き出した上で、商用電源等に接続すれば足りる。
【符号の説明】
【００５６】
１  切欠部
２  笠木材２
３  照明ユニット
４  光源ユニット
５  給電用ケーブル
６  係合壁
７  ケース
８  点光源
９  ケーブル支持片
１０  係止部
１１  光拡散板
１２  プリント基板
１３  発光素子
【図１】
2015227542.tif 000003
【図２】
2015227542.tif 000004
【図３】
2015227542.tif 000005
【図４】
2015227542.tif 000006
【図５】
2015227542.tif 000007